(57)【要約】 【課題】  署名を消去する偽造、改竄による不正使用を防止でき、その上、筆記具による署名や印鑑による捺印を鮮明に行うことができるカードを提供する。【解決手段】  基材１にサインパネル２を有し、このサインパネル２上に地紋３を形成してなるカードにおいて、地紋３を網点４で構成する。この網点４は、網点面積比率２０〜８０％で形成する。【選択図】  図１
2005104105.tif 000002
【特許請求の範囲】
【請求項１】
基材にサインパネルを有し、該サインパネル上に地紋が形成されたカードにおいて、前記地紋は、網点からなることを特徴とするカード。
【請求項２】
前記地紋は、網点面積比率が２０〜８０％からなることを特徴とする請求項１記載のカード。
【請求項３】
前記地紋を形成するインクにマット剤を含有することを特徴とする請求項１又は２記載のカード。
【発明の詳細な説明】
【技術分野】
【０００１】
本発明は、身分証明書、会員証、社員証等のＩＤカード、クレジットカード等のサインパネル（所有者の氏名等を署名等するために設けられた領域）を有するカードに関し、特に、そのサインパネルの偽造、改竄を防止したカードに関する。
【背景技術】
【０００２】
近年、情報記録媒体として、ＩＤカード、クレジットカード等のカードが広く用いられている。これらのカードには、磁気記録層、光記録層又はＩＣ記録部が設けられ、用途に応じて様々な情報が記録されている。
【０００３】
このようなカードは、使用時に、そのカードの使用者が正当の所有者であるかどうかを照合する必要があり、そのための一つの方法として、サインが利用されている。図２に、従来のＩＤカードの側面図を示す。図２に示すように、従来のＩＤカード２０では、基材１の片面（裏面）にサインパネル２、その上に地紋１３が形成されており、このサインパネル２に、カードの所有者が万年筆、ボールペン、サインペン等の筆記具で直筆による氏名の署名を行っている。
【０００４】
ところが、不正使用者は、このサインパネルの正当の所有者の署名を消去して、別の署名をしておくことで、正当の所有者に成り済まし、カードを不正に使用することができる。現在、店頭等での署名の確認は目視により行われ、精巧な場合には改竄等を不正使用時に発見するのは困難であった。
【０００５】
そこで、サインパネルの正当な所有者の署名に対して、署名の消去を困難にするサインパネルが開示されている（例えば、特許文献１等）。
【０００６】
【特許文献１】特開平４−１２８０８６号公報
【発明の開示】
【発明が解決しようとする課題】
【０００７】
しかし、特許文献１に開示されている従来の方法で形成されたサインパネルでは、薬品等による偽造、改竄に対しては有効であるが、プラスチック製の消しゴムに対して全く反応しない。そのため、署名を消去しても地紋１３がそのまま残り、容易に別の署名を行うことができ、特に、プラスチック製の消しゴムによる消去に対しては全く効果がなかった。
【０００８】
また、従来のカードでは、サインパネル２の上に地紋１３が形成されているため、地紋１３とサインパネル２の間の凹凸により、サインの一部がかすれたり、ずれたりする等、筆記具による署名がしにくく、また、印影がかすれる等、印鑑による捺印がしにくいという欠点があった。
【０００９】
本発明は、上記の課題を解決し、署名を消去する偽造、改竄による不正使用を防止でき、その上、筆記具による署名や印鑑による捺印を鮮明に行うことができるカードを提供することにある。
【課題を解決するための手段】
【００１０】
本発明は、基材にサインパネルを有し、該サインパネル上に地紋が形成されたカードにおいて、前記地紋は、網点からなることを特徴とするカードである。
【００１１】
また、本発明は、前記地紋は、網点面積比率が２０〜８０％からなることを特徴とする上記のカードである。
【００１２】
また、本発明は、前記地紋を形成するインクにマット剤を含有することを特徴とする上記のカードである。
【発明の効果】
【００１３】
本発明のカードによれば、署名を消去する偽造、改竄による不正使用を、簡単に防止できる。また、本発明のカードによれば、筆記具による署名や印鑑による捺印を容易かつ鮮明に行うことができる。
【発明を実施するための最良の形態】
【００１４】
以下に、図面を用いて本発明の実施の形態を説明する。図１は、本発明の一実施の形態におけるＩＤカードの説明図であり、図１（ａ）は、平面図、図１（ｂ）は、側面図である。
【００１５】
図１に示すように、本発明のＩＤカード１０は、基材１の裏面の略中央にサインパネル２を設け、さらにサインパネル２上に地紋３を設けたものである。地紋３は、文字等であり、円形の網点４を集合させて形成し、個々の網点４の間には隙間が存在している。また、裏面の残りの部分には適宜使用上の注意等の注意書き等の文字、絵柄等が形成される。
【００１６】
基材１は、ポリエチレンテレフタレート、ポリカーボネート、ポリエステル、ポリスチレン等の合成樹脂、紙、金属、セラミックス等を単独又は組み合わせて、用途に応じて強度等の要求される物性を考慮して適宜選択することができる。
【００１７】
サインパネル２は、シルクスクリーン印刷、オフセット印刷、グラビア印刷により形成される。さらに、サインパネルの周囲、あるいは内側には罫線を適宜設けることができる。
【００１８】
地紋３は、シルクスクリーン印刷、オフセット印刷、グラビア印刷により形成される。
【００１９】
サインパネル２、地紋３には、マット剤が添加される。マット剤には、二酸化珪素、硫酸バリウム、硫酸カルシウム、酸化亜鉛、酸化チタニウム、塩化銀、アルミナ、酸化ジルコニウム、炭酸亜鉛、有機カルシウム塩、スターチ、インドゴム、滑石、硬化ゼラチン、セルロース、ポリアクリル酸、ポリメタクリル酸、テフロン（Ｒ）、ポリエチレン、ポリプロピレン、架橋されたビニル重合体、エチレン−プロピレン共重合体、アルコール不溶性ナイロン等の粉末等が使用できる。
【００２０】
網点面積比率は２０〜８０％の範囲内とすることができる。なお、この範囲であれば問題なく利用可能であるが、５０％が最も望ましい。また、個々の網点状印刷物の形状は、円に限られず、正四角形、ひし形等が選択できる。スクリーン線数は１７５線以下が使用でき、特に３０線以下が好ましい。
【００２１】
なお、本発明のカードは、身分証明証、会員証、社員証等のＩＤカード、クレジットカード、又はキャッシュカード等に用いることができる。
【実施例】
【００２２】
住民基本台帳カード（以下、住基カードとする）を例にとり、実施例を説明する。
【００２３】
本実施例では、ＩＣモジュールを内蔵した、サインパネルを有する５．４ｃｍ×８．６ｃｍの大きさの住基カードを作製した。まず、複数のカードを製造することができる大きさのＰＥＴ−Ｇシート（グリコール変性ポリエチレンテレフタレート）からなる基材上に透明の下地層をオフセット印刷により形成した。
【００２４】
次に、その上にサインパネルをシルクスクリーン印刷により形成した。サインパネルを形成するインクには、ＳＳ８０筆記メジウム［東洋インキ製造（株）製］を用いた。このインクに二酸化珪素粉末を３重量％含有させた。サインパネルの大きさは３．３ｃｍ×５．２ｃｍとした。また、サインパネルにはシルクスクリーン印刷により罫線を設けた。
【００２５】
次いで、このサインパネル上に地紋をオフセット印刷により形成した。地紋を形成するインクには、ハイブライトＩＬプロセス（藍色）［大日本インキ化学工業（株）製］を用いた。このインクに二酸化珪素粉末を０．３重量％含有させた。地紋は、青色の「ＪＵＫＩＣＡＲＤ」の文字列からなり、個々の文字を円形の網点の集合とした。この際、網点面積比率を１０〜９０％に変化させて地紋の印刷を行った。スクリーン線数は１０線とした。
【００２６】
その後、一般的な製造方法により、基材の積層、熱プレス、ＩＣモジュール実装、各カード単位に裁断する工程を経て、本実施例の住基カードを得た。
【００２７】
また、従来例として、地紋を形成するインクに二酸化珪素を含有せず、地紋の文字を網点状に形成しないこと以外は、上記の実施例と同様にして、住基カードを作製した。
【００２８】
得られた実施例及び従来例の住基カードを用い、消去性、捺印性、表示性を検査した。消去性は、油性サインペンによりサインパネルにサインをし、プラスチック消しゴムで消去して地紋を消去できるかどうかで判断した。捺印性は、印鑑によりサインパネルに捺印してかすれが生じるかどうかで判断した。表示性は、地紋の文字が表示されているかどうかで判断した。その結果を表１に示す。表１中、消去性においては、○は、地紋が消去できた場合、×は、地紋が消去できなかった場合である。捺印性においては、○は、かすれが生じない場合、△は、かすれが生じるが使用可能な場合、×は、かすれが生じ、使用不可能な場合である。表示性においては、○は、表示されている場合、△は、一部見にくいが使用可能な場合、×は、表示されていない場合を示す。
【００２９】
【表１】
2005104105.tif 000003
【００３０】
表１において、消去性では、すべての場合に地紋が消去できた。捺印性では、９０％の場合に捺印ができなかった。表示性では、１０％の場合に文字が見える程度には表示されなかった。一方、従来例では、地紋の文字をきちんと表示できたが、消去、捺印ができなかった。このことから網点面積比率は２０〜８０％の範囲内が使用可能であることがわかる。その中で５０％のとき消去性、捺印性、表示性の３項目とも最も良好であった。
【図面の簡単な説明】
【００３１】
【図１】本発明の一実施の形態におけるＩＤカードの説明図。図１（ａ）は、平面図。図１（ｂ）は、側面図。
【図２】従来のＩＤカードの側面図。
【符号の説明】
【００３２】
１    基材
２    サインパネル
３，１３    地紋
４    網点
１０，２０    ＩＤカード
【図１】
2005104105.tif 000004
【図２】
2005104105.tif 000005